(57)【要約】【課題】可動部材が繰り返し装飾部材を往復移動させる場合であっても、可動部材の摩耗を抑制できる演出装置、および当該演出装置を備えた遊技機を提供する。【解決手段】左側モータ６１の回転駆動に伴い、第二案内軸７２に沿って上下動する可動部材１１０は、軸部材２５を介して装飾部材３５を上下動させる。可動部材１１０には、左右両側から第二案内軸７２を挟む位置に転動部材９１〜９４が配置される。上下動する可動部材１１０が軸部材２５を中心に揺動しようとする場合であっても、第二案内軸７２に沿って転動する転動部材９１〜９４が、可動部材１１０の揺動を制限する。【選択図】図３
2015039497.tif 000002
【特許請求の範囲】
【請求項１】
遊技機の遊技盤に設けられる装飾部材を一定方向に往復移動させる演出装置であって、
前記一定方向に延び、前記装飾部材を前記一定方向に案内する第一延設部材と、
回転駆動する駆動源と、
前記装飾部材に設けられ、前記一定方向と直交する方向に延びる軸部材と、
前記軸部材が遊挿される穴部を有し、前記駆動源の回転駆動によって前記一定方向に往復移動することで、前記軸部材を介して前記装飾部材を前記第一延設部材に沿って従動させる可動部材と、
前記穴部から離間する位置で前記一定方向に延び、前記可動部材を前記一定方向に案内する第二延設部材と、
前記可動部材に前記第二延設部材を挟んで複数配置され、前記可動部材の往復移動に伴い前記第二延設部材に沿って転動し、且つ前記可動部材が前記軸部材を中心に揺動することを制限する複数の転動部材と
を備えたことを特徴とする演出装置。
【請求項２】
前記複数の転動部材は、前記一定方向に離間した位置に設けられ、前記第二延設部材を挟んで斜向かいに対向する一組の転動部材を含むことを特徴とする請求項１に記載の演出装置。
【請求項３】
前記複数の転動部材は、前記斜向かいに対向する一組の転動部材を、前記第二延設部材に沿って、少なくとも２組含むことを特徴とする請求項２に記載の演出装置。
【請求項４】
前記複数の転動部材は、前記第二延設部材に対して対称となる位置で対向する一組の転動部材を含むことを特徴とする請求項２又は３に記載の演出装置。
【請求項５】
前記一定方向は上下方向であり、
前記装飾部材は左右方向に延び、
前記軸部材は前記装飾部材の前記左右方向の一端側から前後方向に延び、
前記第二延設部材は、前記穴部から前記左右方向に離間し、
前記複数の転動部材は前記第二延設部材の左右両側に配置されていることを特徴とする請求項１から４の何れかに記載の演出装置。
【請求項６】
請求項１から５の何れかに記載の演出装置を備えたことを特徴とする遊技機。
【発明の詳細な説明】
【技術分野】
【０００１】
本発明は、遊技盤に設けられる装飾部材を往復移動させる演出装置、および当該演出装置を備えた遊技機に関する。
【背景技術】
【０００２】
従来、遊技盤に設けられる装飾部材を上下動させる演出装置を備えたパチンコ機が知られている。例えば、特許文献１に開示のパチンコ機が備える演出装置は、支持軸と、可動部材と、案内部とを備える。支持軸は、左右方向に延び、一端側で装飾部材を支持し、他端側で可動部材と連結する。可動部材は箱状である。可動部材には、上下方向に延び且つ左右方向に並設される第一貫通孔および第二貫通孔が設けられる。案内部は、上下方向に延び且つ左右方向に並設される第一案内軸および第二案内軸を備える。第一案内軸および第二案内軸は、それぞれ、第一挿通孔および第二挿通孔に挿通される。可動部材のうち、左右方向の中心よりも第一挿通孔側にはタイミングベルトが取り付けられる。演出装置の駆動源であるモータが回転駆動すると、タイミングベルトが走行する。これにより、案内部に沿って上下動する可動部材は、装飾部材を上下動させる。
【先行技術文献】
【特許文献】
【０００３】
【特許文献１】特開２０１１−１１５３９２号公報
【発明の概要】
【発明が解決しようとする課題】
【０００４】
しかし、上記パチンコ機では、可動部材のうちタイミングベルトが取り付けられる第一挿通孔側の端部が、第二挿通孔側の端部よりも先に移動する。このため、上下動する可動部材が傾く場合がある。従って、第一挿通孔を形成する内周面のうち特定の部分のみが第一案内軸と接触するので、可動部材が上下動を繰り返すと第一挿通孔が摩耗してしまうおそれがあった。
【０００５】
本発明の目的は、可動部材が繰り返し装飾部材を往復移動させる場合であっても、可動部材の摩耗を抑制できる演出装置、および当該演出装置を備えた遊技機を提供することである。
【課題を解決するための手段】
【０００６】
本発明の第一態様に係る演出装置は、遊技機の遊技盤に設けられる装飾部材を一定方向に往復移動させる演出装置であって、前記一定方向に延び、前記装飾部材を前記一定方向に案内する第一延設部材と、回転駆動する駆動源と、前記装飾部材に設けられ、前記一定方向と直交する方向に延びる軸部材と、前記軸部材が遊挿される穴部を有し、前記駆動源の回転駆動によって前記一定方向に往復移動することで、前記軸部材を介して前記装飾部材を前記第一延設部材に沿って従動させる可動部材と、前記穴部から離間する位置で前記一定方向に延び、前記可動部材を前記一定方向に案内する第二延設部材と、前記可動部材に前記第二延設部材を挟んで複数配置され、前記可動部材の往復移動に伴い前記第二延設部材に沿って転動し、且つ前記可動部材が前記軸部材を中心に揺動することを制限する複数の転動部材とを備えたことを特徴とする。
【０００７】
上記構成によれば、可動部材が第二延設部材に沿って往復移動する場合、穴部が軸部材を介して装飾部材を従動させる。往復移動する可動部材のうち第二延設部材側の部分は、穴部よりも先行して移動方向へ移動しようとするので、可動部材は軸部材を中心に揺動しようとする。この場合であっても、第二延設部材を挟んで配置される複数の転動部材は、可動部材の軸部材を中心とした揺動を制限する。従って、可動部材と第二延設部材との接触は防止される。よって、演出装置は、可動部材が繰り返し装飾部材を往復移動させる場合であっても、可動部材の摩耗を抑制できる。
【０００８】
上記演出装置において、前記複数の転動部材は、前記一定方向に離間した位置に設けられ、前記第二延設部材を挟んで斜向かいに対向する一組の転動部材を含んでもよい。斜向かいに対向する一組の転動部材をなす転動部材が、一定方向に離間しているので、揺動を制限する場合に複数の転動部材が第二延設部材から受ける荷重は、適度に分散される。複数の転動部材は、可動部材の揺動をさらに制限し易い。よって、演出装置は可動部材の摩耗をさらに抑制できる。
【０００９】
上記演出装置において、前記複数の転動部材は、前記斜向かいに対向する一組の転動部材を、前記第二延設部材に沿って、少なくとも２組含んでもよい。揺動を制限する斜向かいに対向する１組の転動部材は、可動部材の移動方向ごとに異なる。従って、揺動を制限する場合に複数の転動部材が第二延設部材から受ける荷重は、さらに分散される。従って、複数の転動部材は、可動部材の揺動をさらに制限し易い。よって、演出装置は可動部材の摩耗をさらに抑制できる。
【００１０】
上記演出装置において、前記複数の転動部材は、前記第二延設部材に対して対称となる位置で対向する一組の転動部材を含んでもよい。一組の転動部材が、第二延設部材に対して対称となる位置から、第二延設部材を挟み、且つ第二延設部材に沿って転動する。従って、可動部材は一定方向に安定して往復移動できる。
【００１１】
上記演出装置において、前記一定方向は上下方向であり、前記装飾部材は左右方向に延び、前記軸部材は前記装飾部材の前記左右方向の一端側から前後方向に延び、前記第二延設部材は、前記穴部から前記左右方向に離間し、前記複数の転動部材は前記第二延設部材の左右両側に配置されていてもよい。可動部材が左右方向に延びる装飾部材を上昇させる場合、穴部には装飾部材の自重に起因する荷重が加わるので、可動部材は揺動し易い。この場合であっても、転動部材が第二延設部材に対して左右両側から接触する。従って、上昇する可動部材は揺動が制限され、第二延設部材との接触が制限される。よって、演出装置は可動部材の摩耗を抑制できる。
【００１２】
本発明の第二態様に係る遊技機は、上記演出装置を備える。この場合、上記作用効果を奏する遊技機を提供できる。
【図面の簡単な説明】
【００１３】
【図１】パチンコ機１の正面図である。
【図２】演出装置３０の正面図である。
【図３】左側移動機構１００の分解斜視図である。
【図４】可動部材１１０の背面斜視図である。
【図５】装飾部材３５、左側移動機構１００、および右側移動機構２００の背面斜視図である。
【図６】下方へ移動する可動部材１１０の拡大正面図である。
【図７】上方へ移動する可動部材１１０の拡大正面図である。
【発明を実施するための形態】
【００１４】
本発明に係る遊技機の一実施形態であるパチンコ機１について、図面を参照して説明する。以下の説明では、図１の手前側、奥側、上側、下側、左側、および右側を、それぞれ、パチンコ機１の前側（正面側）、後側（背面側）、上側、下側、左側、および右側とする。また、図４における上側、下側、右下側、左上側、右上側、および左下側を、それぞれ、可動部材１１０（後述）の上側、下側、左側、右側、前側、および後側とする。
【００１５】
図１を参照して、パチンコ機１の概略構成を説明する。パチンコ機１には、遊技盤２が設けられている。遊技盤２は、正面視で略正方形の板状であり、透明なガラス板を保持した前面枠１３によって前面を保護されている。遊技盤２の下部には上皿５が設けられている。上皿５は、発射機（図示外）に遊技球（図示外）を供給し、且つ賞品球を受ける。上皿５の上部中央には、遊技者によって操作される操作ボタン９が設けられている。上皿５の直下には、賞品球を受ける下皿１０が設けられている。下皿１０の右横には、遊技球の発射を調整する発射ハンドル１１が設けられている。前面枠１３の上部の左右の角には、スピーカ４８がそれぞれ設けられている。
【００１６】
遊技盤２の前面には、ガイドレール３で囲まれた略円形の遊技領域４が形成されている。発射機によって発射された遊技球は、遊技領域４内を流下する。遊技領域４の略中央には、ＬＣＤ（液晶ディスプレイ）等で構成される画像表示装置（図示外）の表示画面（図示外）が後方から露出可能な表示開口７が設けられる。画像表示装置は、遊技者が大量の賞球を獲得可能な大当たり遊技を生起するか否かの大当たり判定の結果を報知するためのデモ図柄を表示する。パチンコ機１は、複数（本実施形態では３つ）のデモ図柄を変動させた後に、大当たり判定の結果を示すデモ図柄の組合せを確定表示させる報知演出を実行することで、大当たり判定の結果を遊技者に報知する。
【００１７】
表示開口７の後方には装飾部材３５が配置されている。装飾部材３５は、パチンコ機１の演出効果を高めるための部材である。装飾部材３５は、遊技盤２の後側に取り付けられる演出装置３０（図２参照）に、上下動可能に設けられている。演出装置３０は、画像表示装置およびスピーカ４８等と連動して、装飾部材３５を上下方向に往復移動させ、報知演出等の様々な演出を実行する。演出装置３０の構成の詳細は後述する。
【００１８】
表示開口７の右方には普通図柄始動ゲート１２が設けられる。また、表示開口７の右下方には、アタッカー１７，１８が設けられる。表示開口７の下方（遊技領域４の下側）には、始動口１５、アタッカー１９、およびアウト口１４が上方から下方の順に並んで設けられる。
【００１９】
パチンコ機１は、主基板（図示外）、サブ基板（図示外）等を備える。主基板とサブ基板とは電気的に接続し、それぞれにＣＰＵ、ＲＯＭ、およびＲＡＭ等が設けられる。主基板は、遊技球が入球する始動口１５、アタッカー１７〜１９の入球口に応じて、遊技者に所定数の遊技球を賞球として付与する。サブ基板は、主基板から送信されるコマンドに従って、演出装置３０等を動作させ、演出等の総合的な制御を行う。
【００２０】
図２〜図５を参照し、演出装置３０の詳細構造を説明する。図２に示すように、演出装置３０は、ベース２０と、装飾部材３５と、左側移動機構１００と、右側移動機構２００とを備える。ベース２０は、枠状の樹脂ケースであり、遊技盤２（図１参照）に後方から取り付けられる。ベース２０の中央部には、表示開口７（図１参照）と後方から対向する開口２２が形成される。なお、画像表示装置（図示外）は、ベース２０の後側に取り付けられる。
【００２１】
装飾部材３５は、左側移動機構１００および右側移動機構２００によって、ベース２０の前方で上下方向に往復移動する。装飾部材３５は、板状部３６と、中央部３７とを備える。板状部３６は、正面視で左右方向に長い略矩形である。板状部３６は、左側部を形成する左側板状部３６Ｌと、右側部を形成する右側板状部３６Ｒとからなる。後述するように、左側板状部３６Ｌは左側移動機構１００と連結し、右側板状部３６Ｒは右側移動機構２００と連結している。中央部３７は、円板状であり、板状部３６の前側中央に設けられる。
【００２２】
装飾部材３５の可動範囲は、板状部３６がベース２０の上側部２０Ａと正面視で重なる位置（以下、上端位置という）から、ベース２０の下側部２０Ｂと正面視で重なる位置（以下、下端位置という）までの間である。図２にて、実線で示す装飾部材３５は上端位置にあり、仮想線で示す装飾部材３５は下端位置にある。
【００２３】
図３、図４を参照し、左側移動機構１００について説明する。図３に示すように、左側移動機構１００は、支持部４０と、後側可動部５０と、駆動部６０と、前側可動部７０とを備える。支持部４０は上下方向に長い箱状である。支持部４０は、後側部を形成する後側支持部材４１と、前側部を形成する前側支持部材４２とからなる。後側支持部材４１は、ベース２０の左側部２０Ｃ（図２参照）に前方から取り付けられる。後側支持部材４１は開口４１Ａを有する。開口４１Ａは、後側支持部材４１の上側において、中央部から右縁部までを前後方向に貫通する。開口４１Ａの周縁部には、２つのネジ孔４１Ｂが設けられている。
【００２４】
前側支持部材４２の前面４２Ａの右側には開口４２Ｂが設けられる。開口４２Ｂは、上下方向に長い略矩形であり、前側支持部材４２を前後方向に貫通する。
【００２５】
後側可動部５０は、第一案内軸５１と、連結部５５とを備える。第一案内軸５１は上下方向に延びる。第一案内軸５１の上下方向の両端部には取付具５２が設けられる。取付具５２は後側支持部材４１の後面に固定するための部材である。
【００２６】
連結部５５は、平面視でＬ字状の板状部材である。連結部５５は、第一案内軸５１の後方において右方から左方へ延び、さらに第一案内軸５１の左後方において前方へ向かって折れ曲がる。連結部５５は、第一平板５６と、第二平板５７と、接続部５９とを有する。第一平板５６は、板状の連結部材３１，３２を介して左側板状部３６Ｌの左端部と連結する。第二平板５７は、第一平板５６の左端から前方へ延びる。第二平板５７の前端部には、前方に向かって延びる円筒状のボス穴５８が設けられる。ボス穴５８には、前後方向に延びる軸部材２５が嵌合されている。軸部材２５は、連結部５５および連結部材３１，３２を介して左側板状部３６Ｌの左端部と連結されている。言い換えると、軸部材２５は装飾部材３５の左側端部に設けられる。
【００２７】
接続部５９は連結部５５の上下方向中央部に設けられる。接続部５９は、第一案内軸５１の右側部および前側部を囲み、且つ第一平板５６の前面と第二平板５７の右側面とを接続する。第一平板５６、第二平板５７、および接続部５９は、第一案内軸５１を囲い込む。これにより、連結部５５は、第一案内軸５１に沿って上下動可能である。言い換えると、第一案内軸５１は、連結部５５を上下方向に案内できる。
【００２８】
駆動部６０は、左側モータ６１と、ギアプーリ６３と、プーリ６４と、ベルト部材６５とを有する。左側モータ６１と連結するギア６２（後述）、ギアプーリ６３、プーリ６４、およびベルト部材６５は、支持部４０の内部に収容される。左側モータ６１は、正逆共に回転駆動するモータであり、左側移動機構１００の駆動源である。左側モータ６１は、出力軸（図示外）と連結されるギア６２を有する。左側モータ６１のブラケット６１Ａには２つのネジ孔６１Ｂが設けられる。２つのネジ孔６１Ｂは２つのネジ孔４１Ｂに対応する。左側モータ６１の出力軸を、後側支持部材４１の右側から開口４１Ａの内側へ進入させ、ギア６２を後側支持部材４１の前方に位置させた後、ネジ孔６１Ｂ，４１Ｂにネジ（図示外）を後方から挿通する。これにより、左側モータ６１は後側支持部材４１に固定される。
【００２９】
ギアプーリ６３は、開口４１Ａの上側で後側支持部材４１および前側支持部材４２に固定される支軸（図示外）によって、回転可能に支持される。ギアプーリ６３の後側部にはギア部６３Ａが形成され、前側部にはプーリ部６３Ｂが形成される。ギア部６３Ａはギア６２と噛み合う。プーリ６４は、ギアプーリ６３の下方に位置する。プーリ６４は、後側支持部材４１および前側支持部材４２の下側で固定される支軸（図示外）によって、回転可能に支持される。プーリ６４の直径とプーリ部６３Ｂの直径は略等しい。
【００３０】
ベルト部材６５は無端状であり、内周面に亘って形成される歯（図示外）の一部が、プーリ部６３Ｂの歯およびプーリ６４の歯（図示外）と噛み合っている。ベルト部材６５のうち、プーリ部６３Ｂの右端部とプーリ６４の右端部との間を上下方向に沿って直線状に延びる部分は、開口４２Ｂの後方に位置する。左側モータ６１が回転駆動する場合、ギア６２、ギアプーリ６３、およびプーリ６４が回転し、ベルト部材６５は走行する。
【００３１】
前側可動部７０は、第二案内軸７２と、可動部材１１０と、転動部材９１〜９４と、被覆部材７５とを有する。第二案内軸７２は、開口４２Ｂの前方で上下方向に延びる（図５参照）。第二案内軸７２の上下方向の両端部には取付具７３が設けられる。２つの取付具７３は、開口４２Ｂの上側および下側で、前側支持部材４２にネジ（図示外）で固定される。第二案内軸７２は、第一案内軸５１に対して右前方に位置する。つまり、第二案内軸７２は、第一案内軸５１から左右方向および前後方向に離間して設けられる。第二案内軸７２は、例えば金属材料から形成される。この他、第二案内軸７２は樹脂材料等から形成されてもよい。
【００３２】
可動部材１１０はベルト部材６５に取り付けられ、ベルト部材６５の走行に伴って上下方向に往復移動する部材である。図４に示すように、可動部材１１０は、第一板状部１１１と、第二板状部１１２と、第三板状部１１３と、２つの接続部１１９と、ベルト取付部１１４とを備える。
【００３３】
第一板状部１１１と第二板状部１１２は、前面４２Ａ（図３参照）と前方から対向する。第一板状部１１１は第二案内軸７２（図３参照）の右方に配置され、第二板状部１１２は第二案内軸７２の左方に配置される。第一板状部１１１および第二板状部１１２の左右方向における離間距離は、第二案内軸７２の直径よりも僅かに長い。第三板状部１１３は、第二板状部１１２の左端から後方に向かって延び、さらに左方へ折れ曲がる板状部材である。第三板状部１１３は前側支持部材４２（図３参照）の左方に位置する。第三板状部１１３の左側上部（可動部材１１０の左側上部）には、左右方向に長い長穴１１３Ａが設けられる。長穴１１３Ａは、第二案内軸７２と左右方向に離間しており、軸部材２５が遊挿されている（図６参照）。
【００３４】
２つの接続部１１９は、正面視で左右方向に長い略矩形であり、第二案内軸７２の前側部を囲い込み、且つ第一板状部１１１と第二板状部１１２を接続する。２つの接続部１１９のうち一方は、第一板状部１１１および第二板状部１１２の上端部を接続し、他方は第一板状部１１１および第二板状部１１２の下端部を接続する。以下、第一板状部１１１および第二板状部１１２をまとめて指すときは、「可動板状部１１５」という。可動板状部１１５の前面１１５Ａ(図３参照)に設けられる部材については後述する。
【００３５】
ベルト取付部１１４は、可動板状部１１５の後側部から後方に向かって立設し、開口４２Ｂ（図３参照）を通過して、支持部４０（図３参照）の内部まで進入する一対の壁部である。ベルト取付部１１４は可動部材１１０の右側に位置する。ベルト取付部１１４は、右壁部１１４Ｒと左壁部１１４Ｌとを備える。１１４Ｒと左壁部１１４Ｌは左右方向に互いに離間する。
【００３６】
右壁部１１４Ｒは、第一板状部１１１の左端部に設けられる。右壁部１１４Ｒの後端部且つ上下方向の両端部には、左方に向かって突出する一対の突出部１１６が設けられる。
【００３７】
左壁部１１４Ｌは、第二板状部１１２の右端部且つ上下方向の中央部に設けられる。左壁部１１４Ｌは、支持壁部１１７と、対向壁部１１８とを有する。支持壁部１１７は、第二板状部１１２から後方へ僅かに突出し、さらに右方へ折れ曲がる。支持壁部１１７は第二案内軸７２（図３参照）の後方に位置する。対向壁部１１８は、支持壁部１１７の右端部から後方に向かって立設する。対向壁部１１８は、一対の突出部１１６の間で右壁部１１４Ｒと左方から対向する。対向壁部１１８の右端部は、一対の突出部１１６の左端部よりも右側に位置する。対向壁部１１８の右側面には、ベルト部材６５（図３参照）の歯（図示外）と噛み合う歯部１１８Ａが形成されている。
【００３８】
対向壁部１１８と一対の突出部１１６の間に形成される２つの間隙１２１の上下方向の長さは、ベルト部材６５の厚さよりも僅かに短い。また、歯部１１８Ａと右壁部１１４Ｒとの間に形成される間隙１２２の左右方向の長さも、ベルト部材６５の厚さよりも僅かに短い。ベルト部材６５を２つの間隙１２１および間隙１２２に配置し、ベルト部材６５の歯（図示外）を歯部１１８Ａに噛み合わせする。これにより、可動部材１１０はベルト部材６５に取り付けられる。以下、ベルト部材６５の歯（図示外）のうち、歯部１１８Ａと噛み合う歯を、ベルト噛合部という。
【００３９】
第一板状部１１１、第二板状部１１２、２つの接続部１１９、および支持壁部１１７は、第二案内軸７２（図３参照）を囲い込み、且つ第二案内軸７２と摺動可能である。従って、ベルト部材６５が走行する場合に、可動部材１１０は、第二案内軸７２に沿って上下方向に往復移動可能である。言い換えると、第二案内軸７２は、可動部材１１０を上下方向に案内できる。
【００４０】
図３を参照し、可動板状部１１５の前面１１５Ａに設けられる部材について説明する。前面１１５Ａには、支持軸８１〜８４と、２つのボス穴８５と、２つの凸部８６とが設けられる。支持軸８１〜８４は、前面１１５Ａから前方へ延びる。支持軸８１，８４は第二案内軸７２の左方に配置され、支持軸８２，８３は第二案内軸７２の右方に配置される。支持軸８１は支持軸８４の上方に配置され、支持軸８２は支持軸８３の上方に配置される。さらに、支持軸８１，８２は第二案内軸７２に対して左右対称となる位置に配置され、同様に支持軸８３，８４も左右対称となる位置に配置される。
【００４１】
２つのボス穴８５は、前面１１５Ａから前方に延びる円筒状である。２つのボス穴８５のうち、一方は支持軸８１，８４の間に配置され、他方は支持軸８２，８３の間に配置される。２つの凸部８６は、支持軸８１，８４の左方で上下方向に並んで設けられる。
【００４２】
転動部材９１〜９４は、前後方向に僅かに延びる円筒状の回転体であり、支持軸８１〜８４によって回転可能に支持されている。転動部材９１〜９４の外周面は、第二案内軸７２に当接している。転動部材９１〜９４は、本実施形態ではポリアセタール等の樹脂材料から形成される。この他、転動部材９１〜９４は金属材料等から形成されてもよい。
【００４３】
転動部材９１の筒孔には支持軸８１が挿通される。同様に、転動部材９２には支持軸８２が、転動部材９３には支持軸８３が、転動部材９４には支持軸８４が挿通される。つまり、転動部材９２，９４は第二案内軸７２の左側に設けられ、転動部材９２，９３は右側に設けられる。
【００４４】
転動部材９１と転動部材９３は、上下方向に離間し、且つ、第二案内軸７２を挟んで斜向かいに対向する一組の転動部材（以下、「斜向かいに対向する一組の転動部材」という）である。同様に、転動部材９２と転動部材９４も、斜向かいに対向する一組の転動部材である。従って、転動部材９１〜９４には、斜向かいに対向する一組の転動部材が、第二案内軸７２に沿って２組含まれている。
【００４５】
また、転動部材９１と転動部材９２は、第二案内軸７２に対して対称となる位置で互いに対向する一組の転動部材（以下、「対称となる一組の転動部材」という）である。同様に、転動部材９３，９４も対称となる一組の転動部材である。従って、転動部材９１〜９４には、対称となる一組の転動部材が第二案内軸７２に沿って２組含まれている。
【００４６】
被覆部材７５は、正面視で左右方向に長い略矩形の板状部材であり、転動部材９１〜９４を前方から覆う。被覆部材７５の左側部には上下方向に並ぶ２つの嵌合孔７７が設けられ、嵌合孔７７の右側には左右方向に並ぶ２つのネジ孔７６が設けられる。２つの嵌合孔７７は２つの凸部８６に対応し、２つのネジ孔７６は２つのボス穴８５に対応する。嵌合孔７７に凸部８６を嵌め、且つネジ孔７６およびボス穴８５にネジ（図示外）を前方から挿通する。これにより、被覆部材７５は、可動部材１１０に前側から固定される。
【００４７】
図３および図５を参照し、右側移動機構２００について説明する。右側移動機構２００は、左側移動機構１００と類似する機構であるので、説明を簡略化して行う。図３に示すように、右側移動機構２００は、支持部２１０と、右側モータ２２０と、第一ガイド軸２２１（図５参照）と、第二ガイド軸２２２（図５参照）と、移動部材２３０（図５参照）とを備える。支持部２１０は、上下方向に長い略矩形の箱状である。支持部２１０は、後側支持部材２１１と前側支持部材２１２とからなる。後側支持部材２１１は、ベース２０の右側部２０Ｄに前方から取り付けられる（図２参照）。後側支持部材２１１の後面右側には、背面視で上下方向に長い略矩形の開口２１１Ａ（図５参照）が設けられる。開口２１１Ａは、後側支持部材２１１を前後方向に貫通する。
【００４８】
右側モータ２２０は、正逆共に回転駆動するモータであり、右側移動機構２００の駆動源である。右側モータ２２０は前側支持部材２１２の前面に固定される。右側モータ２２０の出力軸（図示外）は、支持部２１０の内部に進入する。図示しないが、支持部２１０の内部においては、出力軸に固定されるギアが、ギア、プーリ等を介してタイミングベルトに連結される。右側モータ２２０の回転駆動に伴って、タイミングベルトは走行可能である。
【００４９】
図５に示すように、第一ガイド軸２２１および第二ガイド軸２２２は、上下方向に延び、左右方向に互いに離間する。第一ガイド軸２２１は後側支持部材２１１の後面の左側に取り付けられ、第二ガイド軸２２２は後側支持部材２１１の後面の右側に取り付けられる。第二ガイド軸２２２は開口２１１Ａの後方に位置する。尚、第一ガイド軸２２１と第二ガイド軸２２２との左右方向における離間距離は、第一案内軸５１と第二案内軸７２（図３参照）との左右方向における離間距離よりも短い。
【００５０】
移動部材２３０は、タイミングベルトの走行に伴って上下方向に往復移動する部材である。移動部材２３０は、第一摺動部２３１と、第二摺動部２３２と、ベルト固定部（図示外）とを有する。第一摺動部２３１は移動部材２３０の左側部に形成され、第二摺動部２３２は右側部に形成される。第一摺動部２３１および第二摺動部２３２は、平面視で枠状である。第一摺動部２３１の内側には第一ガイド軸２２１が挿通され、第二摺動部２３２の内側には第二ガイド軸２２２が挿通される。第一摺動部２３１および第二摺動部２３２は、それぞれ、第一ガイド軸２２１および第二ガイド軸２２２と摺動可能である。第一摺動部２３１は、板状の連結部材３３（図３参照）を介して右側板状部３６Ｒの右端部と連結する。
【００５１】
ベルト固定部（図示外）は、第二摺動部２３２の前端部から前方に向かって立設し、開口２１１Ａを通過して、支持部２１０の内部まで進入する一対の壁部である。ベルト固定部にはタイミングベルトが取り付けられる。従って、タイミングベルトの走行に伴って、移動部材２３０は、第一ガイド軸２２１および第二ガイド軸２２２に沿って、右側板状部３６Ｒを上下方向に往復移動させる。
【００５２】
図６、図７を参照し、演出装置３０（図３参照）が装飾部材３５（図３参照）を上下方向に往復移動させる動作について説明する。まず、図６を参照し、上端位置にある装飾部材３５が下方へ移動を開始する場合について説明する。左側モータ６１（図３参照）および右側モータ２２０（図３参照）は、同時に回転駆動を開始する。この場合の左側モータ６１および右側モータ２２０の回転方向を正転方向とする。
【００５３】
左側モータ６１が回転駆動すると、ギア６２、ギアプーリ６３、およびプーリ６４が回転し、ベルト部材６５が走行する（図３参照）。これにより、ベルト噛合部は下方へ移動し、可動部材１１０は第二案内軸７２に沿って下方（矢印Ａ方向）へ移動する。この場合、可動部材１１０の移動に伴い、転動部材９１〜９４は第二案内軸７２に沿って転動しながら下方へ移動する。転動部材９１〜９４の動作の詳細は後述する。また、可動部材１１０と共に長穴１１３Ａが下方へ移動するため、軸部材２５と連結する連結部５５（図３参照）および左側板状部３６Ｌは、第一案内軸５１（図３参照）に沿って下方へ移動する。つまり、下方へ移動する可動部材１１０は、軸部材２５を介して左側板状部３６Ｌを、第一案内軸５１に沿って従動させる。これにより、左側移動機構１００は左側板状部３６Ｌを下方へ移動させる。
【００５４】
一方、右側モータ２２０が回転駆動すると、タイミングベルト（図示外）が走行し、移動部材２３０は、第一ガイド軸２２１および第二ガイド軸２２２に沿って下方へ移動する（図４参照）。移動部材２３０の移動に伴って、右側板状部３６Ｒ（図４参照）は下方へ移動する。これにより、右側移動機構２００は右側板状部３６Ｒを下方に移動させる。
【００５５】
左側移動機構１００が左側板状部３６Ｌを下方へ移動させ、右側移動機構２００が右側板状部３６Ｒを下方へ移動させることで、装飾部材３５は下方へ移動する。これにより、装飾部材３５（図３参照）は、板状部３６（図３参照）が左右方向に延びる状態を維持しつつ、下端位置まで移動する。
【００５６】
次に、図７を参照し、下端位置にある装飾部材３５（図３参照）が、上方へ移動を開始する場合について説明する。装飾部材３５が上方へ移動する動作は、装飾部材３５が下方へ移動する場合と同様であるので、以下、説明を簡略化して行う。左側モータ６１（図３参照）および右側モータ２２０（図３参照）は、同時に逆転方向に回転駆動する。
【００５７】
左側モータ６１が逆転方向に回転駆動することで、ベルト噛合部は上方へ移動し、可動部材１１０は第二案内軸７２に沿って上方（矢印Ｄ方向）に移動する。この場合、転動部材９１〜９４は第二案内軸７２に沿って転動しながら上方へ移動する。転動部材９１〜９４の動作の詳細は後述する。上方へ移動する可動部材１１０は、軸部材２５を介して左側板状部３６Ｌを第一案内軸５１に沿って従動させる。これにより、左側移動機構１００（図３参照）は左側板状部３６Ｌを上方へ移動させる。
【００５８】
一方、右側モータ２２０が逆転方向に回転駆動すると、ベルト部材（図示外）が走行し、移動部材２３０は、第一ガイド軸２２１および第二ガイド軸２２２に沿って、右側板状部３６Ｒを上方へ移動させる（図５参照）。これにより、右側移動機構２００は右側板状部３６Ｒを上方へ移動させる。
【００５９】
以上の動作を繰り返すことで、演出装置３０は、上端位置と下端位置との間で、装飾部材３５を上下方向に往復移動させることができる。
【００６０】
図６を参照し、可動部材１１０が下方へ移動する場合の転動部材９１〜９４の動作について詳しく説明する。可動部材１１０が下方（矢印Ａ方向）へ移動を開始する場合、ベルト部材６５（図３参照）がベルト取付部１１４（図４参照）を下方へ移動させる。そして、長穴１１３Ａが軸部材２５を介して左側板状部３６Ｌを下方へ移動させる。ここで、ベルト取付部１１４が設けられる可動部材１１０の右側部が、長穴１１３Ａが設けられる可動部材１１０の左側部よりも先行して下方へ移動しようとする。この結果、可動部材１１０には、軸部材２５を中心に正面視で時計回り方向（矢印Ｂ方向）に可動部材１１０を揺動させようとする荷重が作用する。
【００６１】
この場合であっても、斜向かいに対向する一組の転動部材である転動部材９１，９３が第二案内軸７２に左右両側から当接しているので、可動部材１１０には、上記揺動を阻止する荷重が作用する。つまり、可動部材１１０には、軸部材２５を中心に正面視で反時計回り方向（矢印Ｃ方向）に、可動部材１１０を揺動させようとする荷重が作用する。この結果、上記２つの荷重が互いに相殺し合い、可動部材１１０の軸部材２５を中心とした揺動は、制限される。よって、第二案内軸７２の左右両側にある第一板状部１１１および第二板状部１１２と、第二案内軸７２との接触は防止される。尚、揺動を制限する場合に転動部材９１〜９４が第二案内軸７２から受ける反力（荷重）は、主に転動部材９１，９３に適度に分散される。
【００６２】
また、可動部材１１０の下方への移動に伴って、転動部材９１〜９４は第二案内軸７２に沿って転動しながら下方へ移動する。従って、転動部材９１〜９４と第二案内軸７２との間で発生する摩擦力は低減されるので、転動部材９１〜９４の外周面は摩耗しにくい。また、対称となる一組の転動部材である転動部材９１，９２および転動部材９３，９４は、左右両側から第二案内軸７２を挟み、且つ第二案内軸７２に沿って転動する。従って、可動部材１１０は安定して下方へ移動できる。
【００６３】
図７を参照し、可動部材１１０が上方へ移動する場合の転動部材９１〜９４の動作について説明する。可動部材１１０が上方（矢印Ｄ方向）へ移動する場合、下方へ移動する場合と同様、可動部材１１０の右側部が左側部よりも先行して上方へ移動しようとする。可動部材１１０には、軸部材２５を中心に正面視で反時計回り方向（矢印Ｅ方向）に可動部材１１０を揺動させようとする荷重が作用する。
【００６４】
ここで、可動部材１１０は、軸部材２５を介して、左右方向に長い装飾部材３５（図３参照）を上方へと移動させる。長穴１１３Ａには、軸部材２５を介して装飾部材３５の自重に起因する荷重が加わる。従って、可動部材１１０の左側部は、下方へ移動する場合と比較して、上方へ移動しにくい。つまり、可動部材１１０の右側部は、下方へ移動する場合と比較して、左側部に先行して上方へさらに移動し易い。従って、上方へ移動する可動部材１１０は、下方へ移動する場合と比較して、より揺動し易い。
【００６５】
この場合であっても、斜向かいに対向する一組の転動部材である転動部材９２，９４が第二案内軸７２に左右両側から当接しているので、可動部材１１０には、上記揺動を阻止する荷重が作用する。つまり、可動部材１１０には、軸部材２５を中心に正面視で時計回り方向（矢印Ｆ方向）に可動部材１１０を揺動させようとする荷重が作用する。上記２つの荷重は互いに相殺し合うので、可動部材１１０の軸部材２５を中心とした揺動は制限される。よって、第一板状部１１１および第二板状部１１２と、第二案内軸７２との接触は防止される。尚、揺動を制限する場合に転動部材９１〜９４が第二案内軸７２から受ける反力（荷重）は、主に転動部材９２，９４に適度に分散される。
【００６６】
また、可動部材１１０の上方への移動に伴って、転動部材９１〜９４は、第二案内軸７２に沿って転動しながら上方へ移動する。従って、転動部材９１〜９４の外周面は摩耗しにくい。また、対称となる一組の転動部材である転動部材９１，９２および転動部材９３，９４によって、可動部材１１０は安定して上方へ移動できる。
【００６７】
以上、説明したように、演出装置３０が装飾部材３５を上下方向に往復移動する場合、ベルト取付部１１４が設けられる可動部材１１０の右側部が、左側部よりも先行して移動方向へ移動しようとする。この結果、可動部材１１０は、軸部材２５を中心として揺動しようとする。この場合であっても、第二案内軸７２を左右両側から挟んで配置される転動部材９１〜９４が、可動部材１１０の揺動を制限する。可動部材１１０の第一板状部１１１および第二板状部１１２と、第二案内軸７２との接触は防止される。よって、演出装置３０は、可動部材１１０が繰り返し左側板状部３６Ｌ（装飾部材３５）を往復移動させる場合であっても、可動部材１１０の摩耗を抑制できる。
【００６８】
また、斜向かいに対向する１組の転動部材である転動部材９１，９３は上下方向に離間しており、もう一方の斜向かいに対向する１組の転動部材である転動部材９２，９４も上下方向に離間している。従って、往復移動する可動部材１１０の揺動を制限する場合に、転動部材９１〜９４が第二案内軸７２から受ける反力（荷重）は、適度に分散される。第二案内軸７２から受ける荷重が、転動部材９１〜９４のいずれか１つに集中しないので、転動部材９１〜９４は可動部材１１０の揺動をより制限し易い。よって、演出装置３０は、可動部材１１０の摩耗をさらに抑制できる。
【００６９】
また、転動部材９１〜９４には、斜向かいに対向する１組の転動部材が２組含まれる。可動部材１１０が下方に移動する場合と上方に移動する場合とで、可動部材１１０の揺動を制限する、斜向かいに対向する１組の転動部材は異なる。従って、揺動を制限する転動部材９１〜９４が第二案内軸７２から受ける反力（荷重）がさらに分散される。転動部材９１〜９４は可動部材１１０の揺動をより制限し易い。よって、演出装置３０は、可動部材１１０の摩耗をさらに抑制できる。
【００７０】
また、対称となる一組の転動部材である転動部材９１，９２および転動部材９３，９４は、左右両側から第二案内軸７２を挟む。従って、可動部材１１０は、第二案内軸７２に沿って安定して上下方向に往復移動できる。
【００７１】
また、可動部材１１０が、左右方向に延びる装飾部材３５を上方に移動させる場合、長穴１１３Ａには装飾部材３５の自重に起因する荷重が加わる。従って、上方に移動する可動部材１１０はさらに揺動し易い。この場合であっても、転動部材９２，９４が左右両側から第二案内軸７２に当接するので、可動部材１１０は揺動が制限される。従って、演出装置３０は、可動部材１１０の摩耗を抑制できる。
【００７２】
なお、上記実施形態において、パチンコ機１が本発明の「遊技機」に相当し、第一案内軸５１が本発明の「第一延設部材」に相当し、左側モータ６１が本発明の「駆動源」に相当し、長穴１１３Ａが本発明の「穴部」に相当し、第二案内軸７２が本発明の「第二延設部材」に相当し、対称となる一組の転動部材が本発明の「対称となる位置で対向する一組の転動部材」に相当する。
【００７３】
本発明は、上記実施形態に限定されるものではなく、本発明の要旨を逸脱しない範囲内での変更が可能である。上記実施形態では、演出装置３０は、左右方向に長い装飾部材３５を上下方向に往復移動させるが、これに限られない。例えば、本発明に係る演出装置は、上下方向に長い装飾部材を左右方向に往復移動させる場合にも適用可能である。この場合、第一案内軸、第二案内軸は左右方向に延びる。
【００７４】
また、上記実施形態では、演出装置３０は、連結部材３１，３２，３３を介して装飾部材３５を左右両側から支持するがこれに限られない。例えば、演出装置３０は、連結部材３１，３２を介して装飾部材３５を左側からのみ支持してもよい。
【００７５】
また、上記実施形態では、転動部材９１〜９４は、円筒状の回転体であるがこれに限られない。例えば、転動部材は、円柱状又は球体状であってもよい。
【００７６】
また、上記実施形態では、演出装置３０は、転動部材９１〜９４の計４つの転動部材を備えるがこれに限られない。例えば、演出装置３０は、第二案内軸７２を挟んで２個以上備えるのであれば、転動部材をいくつ備えてもよい。
【００７７】
また、上記実施形態では、可動部材１１０を上下方向に案内するのは第一案内軸５１であるがこれに限られない。例えば、第一案内軸５１に代えて、開口４２Ｂの右縁部および左縁部から前方に向かって立設する一対の壁部であってもよい。この場合、転動部材９１〜９４は、一対の壁部の左右両側に配置される。
【００７８】
また、上記例示した各要素に限らず、請求項、明細書および図面に記載される全ての要素は、個数を意識的に限定する明確な記載がない限り、単一であっても複数であってもよく、適宜配置の変更が行われてもよい。また、前記要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。更には、請求項、明細書および図面に記載される要素を各々別体で構成するか、適宜一体的に構成するか、或いはひとつの要素を複数の要素に分けて構成するかは、当業者であれば何れも容易に考えられる事項である。従って、その範囲内での構成上の差異を有する遊技機を、実施例に記載がされていないからといって採用することのみでは、本発明に係る権利を回避したことにはならない。その他、各要素の構成や形状等における、本実施例から当業者であれば容易に考えられる自明な範囲の差異についても同様である。
【符号の説明】
【００７９】
１          パチンコ機
２          遊技盤
２５        軸部材
３０        演出装置
３５        装飾部材
５１        第一案内軸
６１        左側モータ
７２        第二案内軸
９１〜９４  転動部材
１１０      可動部材
１１３Ａ    長穴
【図１】
2015039497.tif 000003
【図２】
2015039497.tif 000004
【図３】
2015039497.tif 000005
【図４】
2015039497.tif 000006
【図５】
2015039497.tif 000007
【図６】
2015039497.tif 000008
【図７】
2015039497.tif 000009